(57)【要約】  本開示は、同期信号ブロックの伝送方法、ネットワーク装置及び端末を提供する。当該方法は、下り信号送信時間内において、第１同期信号ブロックの少なくとも２つの候補時間領域伝送位置のうちの１つである、第１同期信号ブロックの目標時間領域伝送位置を決定することと、目標時間領域伝送位置により、第１同期信号ブロックを送信することとを含む。【選択図】  図２
2021526759.tif 000002
【特許請求の範囲】
【請求項１】
ネットワーク装置側に適用される同期信号ブロックの伝送方法であって、
第１同期信号ブロックの少なくとも２つの候補時間領域伝送位置のうちの１つである、前記第１同期信号ブロックの下り信号送信時間内の目標時間領域伝送位置を決定することと、
前記目標時間領域伝送位置により、前記第１同期信号ブロックを送信することとを含む、同期信号ブロックの伝送方法。
【請求項２】
前記候補時間領域伝送位置は、１つのデフォルト時間領域伝送位置と、少なくとも１つの追加時間領域伝送位置とを含む、請求項１に記載の同期信号ブロックの伝送方法。
【請求項３】
前記追加時間領域伝送位置は、前記第１同期信号ブロックの属するグループ内の他の同期信号ブロックのデフォルト時間領域伝送位置のうちの少なくとも１つであり、前記グループは、インデックス番号が異なる少なくとも２つの同期信号ブロックを含む、請求項２に記載の同期信号ブロックの伝送方法。
【請求項４】
前記追加時間領域伝送位置は、全ての同期信号ブロックのデフォルト時間領域伝送位置以外の時間領域伝送位置のうちの１つである、請求項２に記載の同期信号ブロックの伝送方法。
【請求項５】
第１同期信号ブロックの下り信号送信時間内の目標時間領域伝送位置を決定することは、
同期信号ブロックの送信周期内で、チャネルが空いていることが傍受されると、チャネル占有時間内に前記第１同期信号ブロックの目標時間領域伝送位置を決定することを含み、前記第１同期信号ブロックの送信周期はＮ個の５ｍｓであり、Ｎは１より大きい正整数である、請求項１又は２に記載の同期信号ブロックの伝送方法。
【請求項６】
チャネルが空いていることが傍受されると、チャネル占有時間内に前記第１同期信号ブロックの目標時間領域伝送位置を決定することは、
チャネルが空いていることが傍受されると、前記同期信号ブロックの送信周期内に前記第１同期信号ブロックの送信が完了したか否かを決定することと、
前記第１同期信号ブロックの送信が完了していなければ、前記チャネル占有時間内に前記第１同期信号ブロックの目標時間領域伝送位置を決定することとを含む、請求項５に記載の同期信号ブロックの伝送方法。
【請求項７】
前記第１同期信号ブロックは、前記目標時間領域伝送位置を指示する指示情報を搬送している、請求項１に記載の同期信号ブロックの伝送方法。
【請求項８】
前記指示情報は、
前記目標時間領域伝送位置が前記第１同期信号ブロックのデフォルト時間領域伝送位置であるか否かを指示する第１指示情報と、
前記第１同期信号ブロックの候補時間領域伝送位置の時間領域リソースを指示する第２指示情報と、
前記目標時間領域伝送位置の時間領域リソースを指示する第３指示情報と、
前記目標時間領域伝送位置と前記第１同期信号ブロックのデフォルト時間領域伝送位置とのオフセット量を指示する第４指示情報と、の少なくとも１つを含む、請求項７に記載の同期信号ブロックの伝送方法。
【請求項９】
前記オフセット量は、時間領域のオフセット値及び／又は同期信号ブロックインデックス番号のオフセット値を含む、請求項８に記載の同期信号ブロックの伝送方法。
【請求項１０】
５ｍｓハーフフレーム内で、前記目標時間領域伝送位置の先頭の直交周波数分割多重ＯＦＤＭシンボルの番号は、２＋１４＊ｎ＋１４＊５又は８＋１４＊ｎ＋１４＊５であり、ｎ＝０、１、２、３である、請求項１に記載の同期信号ブロックの伝送方法。
【請求項１１】
第１同期信号ブロックの少なくとも２つの候補時間領域伝送位置のうちの１つである、前記第１同期信号ブロックの下り信号送信時間内の目標時間領域伝送位置を決定する第１処理モジュールと、
前記目標時間領域伝送位置により、前記第１同期信号ブロックを送信する送信モジュールとを含む、ネットワーク装置。
【請求項１２】
前記候補時間領域伝送位置は、１つのデフォルト時間領域伝送位置と、少なくとも１つの追加時間領域伝送位置とを含む、請求項１１に記載のネットワーク装置。
【請求項１３】
前記第１処理モジュールは、
同期信号ブロックの送信周期内で、チャネルが空いていることが傍受されると、チャネル占有時間内に前記第１同期信号ブロックの目標時間領域伝送位置を決定する第１決定サブモジュールを含み、前記第１同期信号ブロックの送信周期はＮ個の５ｍｓであり、Ｎは１より大きい正整数である、請求項１１又は１２に記載のネットワーク装置。
【請求項１４】
前記第１決定サブモジュールは、
チャネルが空いていることが傍受されると、前記同期信号ブロックの送信周期内に前記第１同期信号ブロックの送信が完了したか否かを決定する第１決定ユニットと、
前記第１同期信号ブロックの送信が完了していなければ、前記チャネル占有時間内に前記第１同期信号ブロックの目標時間領域伝送位置を決定する第２決定ユニットとを含む、請求項１３に記載のネットワーク装置。
【請求項１５】
前記第１同期信号ブロックは、前記目標時間領域伝送位置を指示する指示情報を搬送している、請求項１１に記載のネットワーク装置。
【請求項１６】
５ｍｓハーフフレーム内で、前記目標時間領域伝送位置の先頭の直交周波数分割多重ＯＦＤＭシンボルの番号は、２＋１４＊ｎ＋１４＊５又は８＋１４＊ｎ＋１４＊５であり、ｎ＝０、１、２、３である、請求項１１に記載のネットワーク装置。
【請求項１７】
プロセッサと、メモリと、前記メモリに記憶されて前記プロセッサ上で実行可能で、前記プロセッサによって実行されると請求項１〜１０のいずれか一項に記載の同期信号ブロックの伝送方法を実現するコンピュータプログラムとを含む、ネットワーク装置。
【請求項１８】
端末側に適用される同期信号ブロックの伝送方法であって、
目標時間領域伝送位置を指示する指示情報を搬送している第１同期信号ブロックを受信することと、
前記指示情報に基づいて、前記第１同期信号ブロックの少なくとも２つの候補時間領域伝送位置のうちの１つである、前記第１同期信号ブロックの前記目標時間領域伝送位置を決定することとを含む、同期信号ブロックの伝送方法。
【請求項１９】
前記候補時間領域伝送位置は、１つのデフォルト時間領域伝送位置と、少なくとも１つの追加時間領域伝送位置とを含む、請求項１８に記載の同期信号ブロックの伝送方法。
【請求項２０】
前記追加時間領域伝送位置は、前記第１同期信号ブロックの属するグループ内の他の同期信号ブロックのデフォルト時間領域伝送位置のうちの少なくとも１つであり、前記グループは、インデックス番号が異なる少なくとも２つの同期信号ブロックを含む、請求項１９に記載の同期信号ブロックの伝送方法。
【請求項２１】
前記追加時間領域伝送位置は、全ての同期信号ブロックのデフォルト時間領域伝送位置以外の時間領域伝送位置のうちの１つである、請求項１９に記載の同期信号ブロックの伝送方法。
【請求項２２】
前記指示情報に基づいて、前記第１同期信号ブロックの前記目標時間領域伝送位置を決定することは、
前記指示情報に基づいて、同期信号ブロックの送信周期内の前記第１同期信号ブロックの前記目標時間領域伝送位置を決定することを含み、前記同期信号ブロックの送信周期はＮ個の５ｍｓであり、Ｎは１より大きい正整数である、請求項１８又は１９に記載の同期信号ブロックの伝送方法。
【請求項２３】
前記指示情報は、
前記目標時間領域伝送位置が前記第１同期信号ブロックのデフォルト時間領域伝送位置であるか否かを指示する第１指示情報と、
前記第１同期信号ブロックの候補時間領域伝送位置の時間領域リソースを指示する第２指示情報と、
前記目標時間領域伝送位置の時間領域リソースを指示する第３指示情報と、
前記目標時間領域伝送位置と前記第１同期信号ブロックのデフォルト時間領域伝送位置とのオフセット量を指示する第４指示情報と、の少なくとも１つを含む、請求項１８に記載の同期信号ブロックの伝送方法。
【請求項２４】
前記オフセット量は、時間領域のオフセット値及び／又は同期信号ブロックインデックス番号のオフセット値を含む、請求項２３に記載の同期信号ブロックの伝送方法。
【請求項２５】
５ｍｓハーフフレーム内で、前記目標時間領域伝送位置の先頭の直交周波数分割多重ＯＦＤＭシンボルの番号は、２＋１４＊ｎ＋１４＊５又は８＋１４＊ｎ＋１４＊５であり、ｎ＝０、１、２、３である、請求項１８に記載の同期信号ブロックの伝送方法。
【請求項２６】
目標時間領域伝送位置を指示する指示情報を搬送している第１同期信号ブロックを受信する受信モジュールと、
前記指示情報に基づいて、前記第１同期信号ブロックの少なくとも２つの候補時間領域伝送位置のうちの１つである、前記第１同期信号ブロックの前記目標時間領域伝送位置を決定する第２処理モジュールとを含む、端末。
【請求項２７】
前記候補時間領域伝送位置は、１つのデフォルト時間領域伝送位置と、少なくとも１つの追加時間領域伝送位置とを含む、請求項２６に記載の端末。
【請求項２８】
前記第２処理モジュールは、
前記指示情報に基づいて、同期信号ブロックの送信周期内の前記第１同期信号ブロックの前記目標時間領域伝送位置を決定する第２決定サブモジュールを含み、前記同期信号ブロックの送信周期はＮ個の５ｍｓであり、Ｎは１より大きい正整数である、請求項２６又は２７に記載の端末。
【請求項２９】
５ｍｓハーフフレーム内で、前記目標時間領域伝送位置の先頭の直交周波数分割多重ＯＦＤＭシンボルの番号は、２＋１４＊ｎ＋１４＊５又は８＋１４＊ｎ＋１４＊５であり、ｎ＝０、１、２、３である、請求項２６に記載の端末。
【請求項３０】
プロセッサと、メモリと、前記メモリに記憶されて前記プロセッサ上で実行可能で、前記プロセッサによって実行されると請求項１８〜２５のいずれか一項に記載の同期信号ブロックの伝送方法を実現するコンピュータプログラムとを含む、端末。
【請求項３１】
コンピュータプログラムが記憶されているコンピュータ読み取り可能な記憶媒体であって、
前記コンピュータプログラムがプロセッサによって実行されると、請求項１〜１０のいずれか一項に記載の同期信号ブロックの伝送方法又は請求項１８〜２５のいずれか一項に記載の同期信号ブロックの伝送方法が実現されるコンピュータ読み取り可能な記憶媒体。
【発明の詳細な説明】
【技術分野】
【０００１】
関連出願の相互参照
本願は、２０１８年６月１４日に提出された中国特許出願第２０１８１０６１３５４１．Ｘ号の優先権を主張するものであり、その全ての内容は参照により本願に組み込まれるものとする。
本開示は、通信の技術分野に関し、特に同期信号ブロックの伝送方法、ネットワーク装置及び端末に関する。
【背景技術】
【０００２】
新たな無線（Ｎｅｗ  Ｒａｄｉｏ、ＮＲ）システムとも呼ばれる第５世代（５ｔｈ  Ｇｅｎｅｒａｔｉｏｎ、５Ｇ）移動通信システムにおいて、ネットワーク装置は、端末が同期、システム情報の取得、測定などを行うために同期信号ブロック（Ｓｙｎｃｈｒｏｎｉｚａｔｉｏｎ  Ｓｉｇｎａｌ  ａｎｄ  ＰＢＣＨ  Ｂｌｏｃｋ、ＳＳＢ）を送信する必要がある。複数のＳＳＢは、１つのＳＳＢバーストセット（ＳＳ  ｂｕｒｓｔ  ｓｅｔ）を構成し、１つのＳＳ  ｂｕｒｓｔ  ｓｅｔに含まれるＳＳＢの最大数は、システムの使用するキャリア周波数と関連し、周波数が３ＧＨｚ未満である場合、１つのＳＳ  ｂｕｒｓｔ  ｓｅｔには４個までのＳＳＢが含まれ、キャリア周波数の範囲が３ＧＨｚ〜６ＧＨｚである場合、１つのＳＳ  ｂｕｒｓｔ  ｓｅｔには８個までのＳＳＢが含まれ、キャリア周波数の範囲が６ＧＨｚ以上である場合、１つのＳＳ  ｂｕｒｓｔ  ｓｅｔには６４個までのＳＳＢが含まれてよい。
【０００３】
１つのＳＳ  ｂｕｒｓｔ  ｓｅｔにいくつのＳＳＢが含まれるかに関わらず、１つの５ｍｓの時間窓内で送信を完了させる必要がある。
【０００４】
ＮＲシステムは、異なる数値設定（Ｎｕｍｅｒｏｌｏｇｙ）をサポートし、異なるＮｕｍｅｒｏｌｏｇｙは、異なる信号サブキャリア間隔に対応し、ＳＳＢシンボルと他のシンボルは、異なるＮｕｍｅｒｏｌｏｇｙを用いて多重化することができる。他のシンボルとは、上り制御の位置するシンボル、下り制御の位置するシンボル、ガードインターバルの位置するシンボル、データ伝送用のシンボルなどの、ＳＳＢシンボルと多重化することができるシンボルを指す。異なるＮｕｍｅｒｏｌｏｇｙ下で、ＳＳＢのスロット（ｓｌｏｔ）内での可能な位置が異なり、ＳＳＢの位置するｓｌｏｔの５ｍｓ送信ウィンドウ内での位置も異なる可能性がある。
【０００５】
ＮＲシステムの、アンライセンス帯域伝送の場合と呼ばれるライセンス補助アクセス（Ｌｉｃｅｎｓｅｄ−Ａｓｓｉｓｔｅｄ  Ａｃｃｅｓｓ、ＬＡＡ）の場合において、情報の送信前に、送信ノード（基地局又は端末）は、クリアチャネル評価（ｃｌｅａｒ  ｃｈａｎｎｅｌ  ａｃｃｅｓｓ、ＣＣＡ）／拡張クリアチャネル評価（ｅｘｔｅｎｄｅｄ  ｃｌｅａｒ  ｃｈａｎｎｅｌ  ａｓｓｅｓｓ、ｅＣＣＡ）を行ってチャネルを傍受し、すなわち、エネルギー検出（ｅｎｅｒｇｙ  ｄｅｔｅｃｔｉｏｎ、ＥＤ）を行う必要があり、エネルギーが一定の閾値を下回るとき、チャネルが空いていると判断された場合のみに、伝送を開始することができる。アンライセンス帯域は様々な技術で共有されるため、このような競合ベースのアクセス方式はチャネルの利用可能時間の不確定性を引き起こす。ＮＲシステムのライセンス帯域伝送の場合において、各ＳＳＢの５ｍｓのハーフ無線フレームにおける位置が固定されるのに対し、アンライセンス帯域伝送の場合において、ネットワーク装置は、対応する周波数範囲内で傍受を行う必要があり、ある期間内にチャネルが空いていないことを傍受する可能性があるため、対応するその後の期間内に下り送信を行うことができず、いくつかのＳＳＢの可能な伝送位置が既に逃されることを引き起こす可能性があり、それによりこれらのＳＳＢは成功に送信することができない。
【発明の概要】
【０００６】
本開示の実施例は、アンライセンス帯域での同期信号ブロックの伝送問題を解決するために、同期信号ブロックの伝送方法、ネットワーク装置及び端末を提供する。
【０００７】
第１の態様では、本開示の実施例に係る、ネットワーク装置側に適用される同期信号ブロックの伝送方法は、第１同期信号ブロックの少なくとも２つの候補時間領域伝送位置のうちの１つである、第１同期信号ブロックの下り信号送信時間内の目標時間領域伝送位置を決定することと、目標時間領域伝送位置により、第１同期信号ブロックを送信することとを含む。
【０００８】
第２の態様では、本開示の実施例に係るネットワーク装置は、また、第１同期信号ブロックの少なくとも２つの候補時間領域伝送位置のうちの１つである、第１同期信号ブロックの下り信号送信時間内の目標時間領域伝送位置を決定する第１処理モジュールと、目標時間領域伝送位置により、第１同期信号ブロックを送信する送信モジュールとを含む。
【０００９】
第３の態様では、本開示の実施例に係るネットワーク装置は、プロセッサと、メモリと、メモリに記憶されてプロセッサ上で実行可能で、プロセッサによって実行されると上記同期信号ブロックの伝送方法を実現するコンピュータプログラムとを含む。
【００１０】
第４の態様では、本開示の実施例に係る、端末側に適用される同期信号ブロックの伝送方法は、目標時間領域伝送位置を指示する指示情報を搬送している第１同期信号ブロックを受信することと、指示情報に基づいて、第１同期信号ブロックの少なくとも２つの候補時間領域伝送位置のうちの１つである、第１同期信号ブロックの目標時間領域伝送位置を決定することとを含む。
【００１１】
第５の態様では、本開示の実施例に係る端末は、目標時間領域伝送位置を指示する指示情報を搬送している第１同期信号ブロックを受信する受信モジュールと、指示情報に基づいて、第１同期信号ブロックの少なくとも２つの候補時間領域伝送位置のうちの１つである、第１同期信号ブロックの目標時間領域伝送位置を決定する第２処理モジュールとを含む。
【００１２】
第６の態様では、本開示の実施例に係る端末は、さらに、プロセッサと、メモリと、メモリに記憶されてプロセッサ上で実行可能で、プロセッサによって実行されると、上記同期信号ブロックの伝送方法を実現するコンピュータプログラムとを含む。
【００１３】
第７の態様では、本開示の実施例に係るコンピュータ読み取り可能な記憶媒体は、プロセッサによって実行されると、上記ネットワーク装置の同期信号ブロックの伝送方法を実現するか、又は上記端末の同期信号ブロックの伝送方法を実現するコンピュータプログラムが記憶されている。
【００１４】
このように、本開示の実施例は、同期信号ブロックを柔軟に１つの期間内の異なる時点で送信することを保証し、同期信号ブロックの送信時間を逃したため、同期信号ブロックを送信できないという問題を回避することができ、通信の有効性を向上させることができる。
【図面の簡単な説明】
【００１５】
本開示の実施例の技術手段をより明確に説明するために、以下、本開示の実施例の説明に必要な図面を簡単に説明する。明らかに、以下に説明される図面は、本開示のいくつかの実施例に過ぎず、当業者であれば、創造的な労力をすることなく、これらの図面に基づいて他の図面を得ることができる。
【００１６】
【図１】本開示の実施例が適用可能な移動通信システムの構成を示すブロック図である。
【図２】本開示の実施例に係るネットワーク装置側の同期信号ブロックの伝送方法の流れを示す概略図である。
【図３】本開示の実施例における同期信号ブロックのデフォルト時間領域伝送位置のリソースマッピングを示す概略図その１である。
【図４】本開示の実施例の形態１における同期信号ブロックの候補時間領域伝送位置のリソースマッピングを示す概略図である。
【図５】本開示の実施例における同期信号ブロックのデフォルト時間領域伝送位置のリソースマッピングを示す第２の概略図である。
【図６】本開示の実施例の形態２における同期信号ブロックの候補時間領域伝送位置のリソースマッピングを示す概略図である。
【図７】本開示の実施例に係るネットワーク装置のモジュール構成を示す概略図である。
【図８】本開示の実施例に係るネットワーク装置を示すブロック図である。
【図９】本開示の実施例に係る端末側の同期信号ブロックの伝送方法の流れを示す概略図である。
【図１０】本開示の実施例に係る端末のモジュール構成を示す概略図である。
【図１１】本開示の実施例に係る端末を示すブロック図である。
【発明を実施するための形態】
【００１７】
以下、図面を参照しながら本開示の例示的な実施例をより詳細に説明する。図面に本開示の例示的な実施例が示されるが、本開示は、様々な形態で実現することができ、ここに記載した実施例によって限定されないと理解すべきである。逆に、これらの実施例を提供するのは、本開示をより徹底的に理解させ、かつ本開示の範囲を完全に当業者に伝えるためである。
【００１８】
本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示又は説明以外の順序でも実施できるように、このように使用されたデータは、適宜入れ替えてもよいと理解すべきである。また、用語「含む」、「備える」及びそれらのいかなる変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、システム、製品又は装置に固有の、他のステップ又はユニットを含んでもよい。明細書及び特許請求の範囲における「及び／又は」は、接続対象の少なくとも１つを表す。
【００１９】
本明細書で説明される技術は、ロングタームエボリューション（Ｌｏｎｇ  Ｔｉｍｅ  Ｅｖｏｌｕｔｉｏｎ、ＬＴＥ）／ＬＴＥアドバンスト（ＬＴＥ−Ａｄｖａｎｃｅｄ、ＬＴＥ−Ａ）システムに限定されず、符号分割多元接続（Ｃｏｄｅ  Ｄｉｖｉｓｉｏｎ  Ｍｕｌｔｉｐｌｅ  Ａｃｃｅｓｓ、ＣＤＭＡ）、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）、その他のシステムなどの様々な無線通信システムにも用いることができる。「システム」と「ネットワーク」という用語は、常に互換的に使用されている。ＣＤＭＡシステムは、ＣＤＭＡ２０００、ユニバーサル地上無線アクセス（Ｕｎｉｖｅｒｓａｌ  Ｔｅｒｒｅｓｔｒｉａｌ  Ｒａｄｉｏ  Ａｃｃｅｓｓ、ＵＴＲＡ）などの無線技術を実現することができる。ＵＴＲＡは、広帯域ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））と、他のＣＤＭＡ変形態とを含む。ＴＤＭＡシステムは、移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）などの無線技術を実現することができる。ＯＦＤＭＡシステムは、ウルトラモバイル広帯域（Ｕｌｔｒａ  Ｍｏｂｉｌｅ  Ｂｒｏａｄｂａｎｄ、ＵＭＢ）、エボリューションＵＴＲＡ（Ｅｖｏｌｕｔｉｏｎ−ＵＴＲＡ、Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実現することができる。ＵＴＲＡ及びＥ−ＵＴＲＡは、ユニバーサルモバイル電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）の一部である。ＬＴＥとより高度なＬＴＥ（例えばＬＴＥ−Ａ）は、Ｅ−ＵＴＲＡを使用する新しいＵＭＴＳリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ、３ＧＰＰ）という名称の組織からの文書において記載されている。ＣＤＭＡ２０００及びＵＭＢは、「第３世代パートナーシッププロジェクト２」（３ＧＰＰ２）という名称の組織からの文書において記載されている。本明細書で説明される技術は、上述のシステム及び無線技術、並びにその他のシステム及び無線技術に用いることができる。しかしながら、これらの技術はＮＲシステムの応用例以外にも適用可能であるが、以下の説明は、例示を目的にＮＲシステムについて説明し、以下の説明の多くにおいてＮＲ用語が使用され、ＮＲシステムを例に説明する。当業者であれば理解されるように、用語は、本開示の���護範囲を限定するものではない。
【００２０】
以下の説明は、例を提供するものであり、特許請求の範囲に記載された範囲、適用性又は構成を限定するものではない。本開示の精神及び範囲から逸脱することなく、検討された要素の機能及び配置を変更してもよい。様々な例では、様々な手順又は構成部品を適宜に省略、置換又は追加してもよい。例えば、説明した方法を、説明した順序と異なる順序で実行してもよく、また、様々なステップを追加、省略するか又は組み合わせてもよい。また、いくつかの例を参照して説明した特徴は、他の例で組み合わせてもよい。
【００２１】
図１に示すように、図１は、本開示の実施例が適用可能な無線通信システムの構成を示すブロック図である。無線通信システムは、端末１１及びネットワーク装置１２を含む。端末１１は、端末装置又はユーザ端末（Ｕｓｅｒ  Ｅｑｕｉｐｍｅｎｔ、ＵＥ）と呼ばれてもよく、端末１１は、携帯電話、タブレットパーソナルコンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）、ウェアラブル装置（Ｗｅａｒａｂｌｅ  Ｄｅｖｉｃｅ）又は車載装置などの端末側装置であってよく、なお、本開示の実施例では端末１１の具体的なタイプを限定しない。ネットワーク装置１２は、基地局又はコアネットワークであってもよく、上記基地局は、５Ｇ及びこれ以降のリリースの基地局（例えば、ｇＮＢ、５Ｇ  ＮＲ  ＮＢなど）、又は他の通信システムにおける基地局（例えば、ｅＮＢ、ＷＬＡＮアクセスポイント、又は他のアクセスポイントなど）であってもよく、基地局は、ノードＢ、進化型ノードＢ、アクセスポイント、ベーストランシーバ基地局（Ｂａｓｅ  Ｔｒａｎｓｃｅｉｖｅｒ  Ｓｔａｔｉｏｎ、ＢＴＳ）、無線基地局、無線トランシーバ、基本サービスセット（Ｂａｓｉｃ  Ｓｅｒｖｉｃｅ  Ｓｅｔ、ＢＳＳ）、拡張サービスセット（Ｅｘｔｅｎｄｅｄ  Ｓｅｒｖｉｃｅ  Ｓｅｔ、ＥＳＳ）、ノードＢ、進化型ノードＢ（ｅＮＢ）、ホームノードＢ、ホーム進化型ノードＢ、ＷＬＡＮアクセスポイント、ＷｉＦｉノード、又は前記分野における他の何らかの適切な用語と呼ばれてもよく、同様の技術的効果が達成される限り、前記基地局は特定の技術用語に限定されず、なお、本開示の実施例ではＮＲシステムにおける基地局のみを例に説明するが、基地局の具体的なタイプを限定しない。
【００２２】
基地局は、基地局コントローラの制御下で端末１１と通信してもよく、様々な例では、基地局コントローラは、コアネットワーク又はいくつかの基地局の一部であってよい。いくつかの基地局は、バックホールによりコアネットワークと制御情報又はユーザデータの通信を行うことができる。いくつかの例では、これらの基地局のうちのいくつかは、有線又は無線通信リンクであり得るバックホールリンクを介して直接的又は間接的に互いに通信し得る。無線通信システムは、複数のキャリア（異なる周波数の波形信号）上での動作をサポートすることができる。マルチキャリア送信機は、変調された信号をこれらの複数のキャリア上で同時に伝送することができる。例えば、各通信リンクは、様々な無線技術に従って変調されたマルチキャリア信号であってよい。各変調された信号は、異なるキャリア上で送信され、制御情報（例えば、基準信号、制御チャネルなど）、オーバヘッド情報、データなどを搬送することができる。
【００２３】
基地局は、１つ又は複数のアクセスポイントアンテナを介して端末１１と無線通信を行うことができる。各基地局は、それぞれ対応するカバレッジエリアのための通信カバレージを提供することができる。アクセスポイントのカバレッジエリアは、該カバレッジエリアの一部のみとなるセクタに分割されてよい。無線通信システムは、異なるタイプの基地局（例えば、マクロ基地局、マイクロ基地局、又はピコ基地局）を含んでよい。基地局は、セルラー又はＷＬＡＮ無線アクセス技術などの様々な無線技術を利用してもよい。基地局は、同じ又は異なるアクセスネットワーク若しくは事業者展開に関連付けられてよい。異なる基地局のカバレッジエリア（同じもしくは異なるタイプの基地局のカバレッジエリア、同じもしくは異なる無線技術を利用するカバレッジエリア、又は同じもしくは異なるアクセスネットワークに属するカバレッジエリアを含む）が重複してもよい。
【００２４】
無線通信システムにおける通信リンクは、上りリンク（Ｕｐｌｉｎｋ、ＵＬ）伝送（例えば、端末１１からネットワーク装置１２への伝送）をベアラするための上りリンク、又は下りリンク（Ｄｏｗｎｌｉｎｋ、ＤＬ）伝送（例えば、ネットワーク装置１２から端末１１への伝送）をベアラするための下りリンクを含んでもよい。ＵＬ伝送は、逆方向リンク伝送とも呼ばれてもよく、ＤＬ伝送は、順方向リンク伝送とも呼ばれてもよい。下りリンク伝送は、ライセンス帯域、アンライセンス帯域、又はこれらの両方を用いて行うことができる。同様に、上りリンク伝送は、ライセンス帯域、アンライセンス帯域、又はこれらの両方を用いて行うことができる。
【００２５】
本開示の実施例は、図２に示すように、以下のステップを含む、ネットワーク装置側に適用される同期信号ブロックの伝送方法を提供する。
【００２６】
ステップ２１において、第１同期信号ブロックの下り信号送信時間内の目標時間領域伝送位置を決定する。
【００２７】
各同期信号ブロックは１つの同期信号ブロックインデックス番号（ＳＳＢ  ｉｎｄｅｘ）に対応し、第１同期信号ブロックのＳＳＢ  ｉｎｄｅｘは第１値であり、第１値はＳＳＢ  ｉｎｄｅｘのうちの１つである。なお、ここでいう第１同期信号ブロックは、何れか特定のＳＳＢ  ｉｎｄｅｘの同期信号ブロックに限定されず、例えば、ＳＳＢ０〜７の合計８つの同期信号ブロックがあれば、第１同期信号ブロックは、これら８つのいずれの１つであってもよい。
【００２８】
さらに、目標時間領域伝送位置は、第１同期信号ブロックの少なくとも２つの候補時間領域伝送位置のうちの１つであり、第１同期信号ブロックは、少なくとも２つの候補時間領域伝送位置を有し、すなわち、各ＳＳＢ  ｉｎｄｅｘの同期信号ブロックは、少なくとも２つ、例えばＮ個の候補時間領域伝送位置を有してよく、異なるＳＳＢ  ｉｎｄｅｘの同期信号ブロックの候補時間領域伝送位置の数が同じであっても異なってもよいが、各ＳＳＢ  ｉｎｄｅｘの同期信号ブロックの候補時間領域伝送位置の数Ｎは、現在の動作帯域における１つのＳＳ  ｂｕｒｓｔ  ｓｅｔのサポートするＳＳＢの最大伝送数Ｌを超えない。例えば、キャリア周波数が３ＧＨｚ未満である場合、１つのＳＳ  ｂｕｒｓｔ  ｓｅｔにおいてＬ＝４個までのＳＳＢを伝送することができ、キャリア周波数の範囲が３ＧＨｚ〜６ＧＨｚである場合、１つのＳＳ  ｂｕｒｓｔ  ｓｅｔにおいてＬ＝８個までのＳＳＢを伝送することができ、キャリア周波数の範囲が６ＧＨｚ以上である場合、１つのＳＳ  ｂｕｒｓｔ  ｓｅｔにおいてＬ＝６４個までのＳＳＢを伝送することができる。
【００２９】
ネットワーク装置は、下り信号送信時間内において、少なくとも２つの候補時間領域伝送位置から１つを第１同期信号ブロックの目標時間領域伝送位置として選択し、選択可能な候補時間領域伝送位置が複数あるため、同期信号ブロックをより柔軟に送信することができる。
【００３０】
ステップ２２において、目標時間領域伝送位置により、第１同期信号ブロックを送信する。
【００３１】
第１同期信号ブロックの目標時間領域伝送位置を決定すると、該伝送位置で第１同期信号ブロックを送信する。第１同期信号ブロックは、初期のタイミング同期として用いる作用と、例えば、レベル３（Ｌｅｖｅｌ  ３、Ｌ３）の基準信号受信電力（Ｒｅｆｅｒｅｎｃｅ  ｓｉｇｎａｌ  ｒｅｃｅｉｖｅｄ  ｐｏｗｅｒ、ＲＳＲＰ）、基準信号受信品質（Ｒｅｆｅｒｅｎｃｅ  ｓｉｇｎａｌ  ｒｅｃｅｉｖｅｄ  ｑｕａｌｉｔｙ、ＲＳＲＱ）、信号対干渉プラス雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ、ＳＩＮＲ）、受信信号強度インジケータ（Ｒｅｃｅｉｖｅｄ  Ｓｉｇｎａｌ  Ｓｔｒｅｎｇｔｈ  Ｉｎｄｉｃａｔｏｒ、ＲＳＳＩ）などの報告を含む、無線リンク検出、ビーム失敗検出、無線リソース管理の測定として用いる作用と、レベル１（Ｌｅｖｅｌ  １、Ｌ１）のＲＳＲＰの測定報告として用いる作用と、ランダムアクセスメッセージ１（ＭＳＧ１）を送信するための時間周波数リソース位置の基準として用いる作用と、端末が受信したＳＳＢの電力に基づいて上り送信の電力などを決定するなどの、上り送信の電力制御のための基準として用いる作用と、のうちの少なくとも１つを備えてよい。
【００３２】
本開示の実施例の第１同期信号ブロックの候補時間領域伝送位置は、１つのデフォルト時間領域伝送位置と少なくとも１つの追加時間領域伝送位置とを含むがこれらに限定されない。デフォルト時間領域伝送位置は、ライセンス帯域での第１同期信号ブロックの時間領域伝送位置と同じである。６ＧＨｚ以上のＮＲシステムは、６０／１２０／２４０ｋＨｚのサブキャリア間隔をサポートし、６ＧＨｚ以下のＮＲは、１５／３０／６０ｋＨｚのサブキャリア間隔をサポートする。サブキャリア間隔が１５／３０／６０／１２０／２４０ｋＨｚである場合にはＳＳＢを伝送することができ、またサブキャリア間隔が１５／３０／６０／１２０ｋＨｚである場合にはデータを伝送することができ、サブキャリア間隔が２４０ｋＨｚである場合にはデータの伝送に用いることができない。
【００３３】
ライセンス帯域では、１つのハーフフレーム（５ｍｓ）で伝送されるＳＳＢにおいて、ＳＳＢの１番目の直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルのシンボルインデックスはＳＳＢのサブキャリア間隔に関連し、番号が０であるＯＦＤＭシンボルは５ｍｓハーフフレームにおける１番目のスロット（ｓｌｏｔ）の１番目のＯＦＤＭシンボルである。ＳＳＢの送信位置は以下のとおりである。
【００３４】
ＣＡＳＥ  Ａ：サブキャリア間隔は１５ｋＨｚであり、ＳＳＢを伝送する１番目のＯＦＤＭシンボルのシンボル番号は｛２、８｝＋１４＊ｎである。キャリア周波数が３ＧＨｚ以下である場合、ｎ＝０又は１であり、キャリア周波数が３ＧＨｚより大きく、かつ６ＧＨｚ以下である場合、ｎ＝０、１、２又は３である。
【００３５】
ＣＡＳＥ  Ｂ：サブキャリア間隔は３０ｋＨｚであり、ＳＳＢを伝送する１番目のＯＦＤＭシンボルのシンボル番号は｛４、８、１６、２０｝＋２８＊ｎである。キャリア周波数が３ＧＨｚ以下である場合、ｎ＝０であり、キャリア周波数が３ＧＨｚより大きく、かつ６ＧＨｚ以下である場合、ｎ＝０又は１である。
【００３６】
ＣＡＳＥ  Ｃ：サブキャリア間隔は３０ｋＨｚであり、ＳＳＢを伝送する１番目のＯＦＤＭシンボルのシンボル番号は｛２、８｝＋１４＊ｎである。キャリア周波数が３ＧＨｚ以下である場合、ｎ＝０又は１であり、キャリア周波数が、３ＧＨｚより大きく、かつ６ＧＨｚ以下である場合、ｎ＝０、１、２又は３である。
【００３７】
ＣＡＳＥ  Ｄ：サブキャリア間隔は１２０ｋＨｚであり、ＳＳＢを伝送する１番目のＯＦＤＭシンボルのシンボル番号は｛４、８、１６、２０｝＋２８＊ｎである。キャリア周波数が６ＧＨｚより大きい場合、ｎ＝０、１、２、３、５、６、７、８、１０、１１、１２、１３、１５、１６、１７又は１８である。
【００３８】
ＣＡＳＥ  Ｅ：サブキャリア間隔は２４０ｋＨｚであり、ＳＳＢを伝送する１番目のＯＦＤＭシンボルのシンボル番号は｛８、１２、１６、２０、３２、３６、４０、４４｝＋５６＊ｎである。キャリア周波数が６ＧＨｚより大きい場合、ｎ＝０、１、２、３、５、６、７又は８である。
【００３９】
なお、５ｍｓハーフフレームでは、ＳＳＢ  ｉｎｄｅｘは常に時間方向に昇順で０からＬ−１まで番号付けされる。第１同期信号ブロックのデフォルト時間領域伝送位置は、以上の場合における第１同期信号ブロックの時間領域伝送位置と同じである。例えば、キャリア周波数が３ＧＨｚ以下であり、サブキャリア間隔が１５ｋＨｚであり、第１同期信号ブロックがＳＳＢ０である場合、第１同期信号ブロックのデフォルト時間領域伝送位置の１番目のＯＦＤＭシンボルは２である。
【００４０】
さらに、追加時間領域伝送位置は、デフォルト時間領域伝送位置以外の、同期信号ブロックの伝送用の他の時間領域伝送位置であり、すなわち、１つの５ｍｓのハーフフレームにおいて、各ＳＳＢ  ｉｎｄｅｘのＳＳＢはＮ（Ｎ＜＝Ｌ）個の送信位置を有してもよいと定義され、ライセンス帯域で定義されるＳＳＢの時間領域伝送位置をデフォルト時間領域伝送位置として決定し、新たに追加された追加時間領域伝送位置の設定は、以下の形態を参照すればよいが、これらに限定されない。
【００４１】
形態１、第１同期信号ブロックの追加時間領域伝送位置は他のＳＳＢ  ｉｎｄｅｘのデフォルト時間領域伝送位置を多重化することができる。例えば、追加時間領域伝送位置は、第１同期信号ブロックの属するグループ内の他の同期信号ブロックのデフォルト時間領域伝送位置のうちの少なくとも１つであり、グループは、インデックス番号が異なる少なくとも２つの同期信号ブロックを含み、異なるグループに含まれる同期信号ブロックの数は、同じであっても異なってもよく、本開示の実施例では特に限定されない。ＳＳＢ  ｉｎｄｅｘに従ってグループ化を行い、同一のグループ内の他のＳＳＢのデフォルト時間領域伝送位置は第１同期信号ブロックの追加時間領域伝送位置である。
【００４２】
システムは３−６ＧＨｚ帯域で動作し、最大でＬ＝８個のＳＳＢの伝送をサポートし、サブキャリア間隔が１５ｋＨｚであると仮定すると、これら８個のＳＳＢに対応するデフォルト時間領域伝送位置は図３に示すとおりであり、これら８個のＳＳＢを、｛０、４｝、｛１、５｝、｛２、６｝及び｛３、７｝という４つのグループに分け、すなわち、ｍｏｄ（ＳＳＢ  ｉｎｄｅｘ，４）の結果が同じであるＳＳＢを１つのグループに分ける。グループ内のＳＳＢは、他のＳＳＢ番号に対応するＯＦＤＭシンボルの位置で送信されてもよく、すなわち、図４に示すように、ＳＳＢ  ｉｎｄｅｘ＝０のＳＳＢは、ＳＳＢ  ｉｎｄｅｘ＝４のＳＳＢで送信されてもよく、ＳＳＢ  ｉｎｄｅｘ＝１のＳＳＢは、ＳＳＢ  ｉｎｄｅｘ＝５のＳＳＢで送信されてもよく、ＳＳＢ  ｉｎｄｅｘ＝２のＳＳＢは、ＳＳＢ  ｉｎｄｅｘ＝６のＳＳＢで送信されてもよく、ＳＳＢ  ｉｎｄｅｘ＝３のＳＳＢは、ＳＳＢ  ｉｎｄｅｘ＝７のＳＳＢで送信されてもよい。このように、アンライセンス帯域伝送の場合では、ネットワーク装置による傍受結果として、第１同期信号ブロックのデフォルト時間領域伝送位置の位置するチャネルは下り送信を行うことができなければ、ネットワーク装置は、他の追加時間領域伝送位置で第１同期信号ブロックの伝送を行い、例えばＳＳＢ０はＳＳＢ４の伝送位置で伝送することができる。
【００４３】
形態２、追加時間領域伝送位置は全てのＳＳＢ  ｉｎｄｅｘのデフォルト時間領域伝送位置以外の他の時間領域伝送位置であってよい。すなわち、追加時間領域伝送位置は、全ての同期信号ブロックのデフォルト時間領域伝送位置以外の時間領域伝送位置のうちの１つである。
【００４４】
システムは３−６ＧＨｚ帯域で動作し、最大でＬ＝８個のＳＳＢの伝送をサポートし、サブキャリア間隔が３０ｋＨｚであると仮定すると、これら８個のＳＳＢに対応するデフォルト時間領域伝送位置は図５に示すとおりであり、これら８個のＳＳＢの送信を４つのｓｌｏｔ内で完了させ、すなわち２ｍｓ内に全てのＳＳＢの送信を完了させることができる。その場合に、５ｍｓハーフフレームにおいて、ＳＳＢの送信を行うことができる他のリソースがあり、この時に追加時間領域伝送位置は残りの３ｍｓ内で選択することができる。５番目のｓｌｏｔ（ｓｌｏｔが０から番号付けされれば、ｓｌｏｔ４である）から（すなわち、２ｍｓ目から）、異なるＳＳＢ  ｉｎｄｅｘの同期信号ブロックの追加時間領域伝送位置が順に設定されているよう定義してよく、例えばこれら８個のＳＳＢのデフォルト時間領域伝送位置をもう一回繰り返し、すなわち、追加的に｛２、８｝＋１４＊ｎ＋１４＊５を、これらのＳＳＢを伝送できる先頭のＯＦＤＭシンボルの番号として定義し、５番目のＳｌｏｔから始まるＳＳＢ位置が時間順に０〜７と番号付けされたＳＳＢに対応するようにする。このように、アンライセンス帯域伝送の場合では、ネットワーク装置による傍受結果として、第１同期信号ブロックのデフォルト時間領域伝送位置の位置するチャネルは下り送信を行うことができなければ、ネットワーク装置は、｛２、８｝＋１４＊ｎ＋１４＊５を先頭とするＯＦＤＭシンボルの位置で第１同期信号ブロックの伝送を行うことができる。或いは、６番目のｓｌｏｔ（ｓｌｏｔが０から番号付けされされれば、ｓｌｏｔ５である）から（すなわち、２．５ｍｓ目から）、異なるＳＳＢ  ｉｎｄｅｘの同期信号ブロックの追加時間領域伝送位置が順に設定されているよう定義してよく、例えばこれら８個のＳＳＢのデフォルト時間領域伝送位置をもう一回繰り返し、すなわち、｛２、８｝＋１４＊ｎ＋１４＊６を、ＳＳＢを伝送できる先頭のＯＦＤＭシンボルの番号として定義し、６番目のＳｌｏｔから始まるＳＳＢ位置が時間順に０〜７と番号付けされたＳＳＢに対応するようにする。このように、アンライセンス帯域伝送の場合では、ネットワーク装置による傍受結果として、第１同期信号ブロックのデフォルト時間領域伝送位置の位置するチャネルは下り送信を行うことができなければ、ネットワーク装置は、｛２、８｝＋１４＊ｎ＋１４＊６を先頭とするＯＦＤＭシンボルの位置で第１同期信号ブロックの伝送を行うことができる。
【００４５】
形態３、同期信号ブロックの送信周期内に、異なるＳＳＢ  ｂｕｒｓｔ  ｓｅｔ（それぞれの１０ｍｓフレームの先頭位置、又は５ｍｓハーフフレームの先頭位置からの５ｍｓの持続時間）における第１同期信号ブロックのデフォルト時間領域伝送位置を、いずれも第１同期信号ブロックの候補時間領域伝送位置として決定する。このような形態では、ネットワーク装置は、１つのＳＳＢ  ｂｕｒｓｔ  ｓｅｔにおいて、システム情報又は無線リソース制御（Ｒａｄｉｏ  Ｒｅｓｏｕｒｃｅ  Ｃｏｎｔｒｏｌ、ＲＲＣ）シグナリングにより送信が必要と指示されたＳＳＢのうちの一部のＳＳＢのみを送信することができ、すなわち、送信する必要がある全てのＳＳＢの送信を１つの５ｍｓの窓内で完了させることを要求しない。
【００４６】
ステップ２１において、同期信号ブロックの送信周期内で、チャネルが空いていることが傍受されると、チャネル占有時間内に第１同期信号ブロックの目標時間領域伝送位置を決定し、第１同期信号ブロックの送信周期はＮ個の５ｍｓであり、Ｎは１より大きい正整数であり、ここでいうチャネル占有時間はＭＣＯＴ以下である。なお、同期信号ブロックの送信周期内にＮ個のＳＳＢ  ｂｕｒｓｔ  ｓｅｔが含まれるため、ネットワーク装置は、これらのＮ個のＳＳＢ  ｂｕｒｓｔ  ｓｅｔのうちのいずれか１つにおいて第１同期信号ブロックの送信を完了させることができる。すなわち、同期信号ブロックの送信周期内にチャネルが空いていることが複数回傍受される可能性がある場合、ネットワーク装置は、複数回の傍受結果に応じて占有するチャネル占有時間内に第１同期信号ブロックの目標時間領域伝送位置を決定する。
【００４７】
仮に、システムは３−６ＧＨｚ帯域で動作し、最大でＬ＝８個のＳＳＢの伝送をサポートし、サブキャリア間隔が１５ｋＨｚであると仮定すると、これら８個のＳＳＢに対応するデフォルト時間領域伝送位置は図３に示すとおりであり、ここで、Ｎ＝４であり、すなわち、同期信号ブロックの送信周期は２０ｍｓに設定され、４個の５ｍｓのＳＳＢ  ｂｕｒｓｔ  ｓｅｔを含み、２０個のｓｌｏｔを含む。ネットワーク装置が１、２、３、４及び７と番号付けされた５個のＳＳＢを送信する必要がある場合、ネットワーク装置は、これら４個のＳＳＢ  ｂｕｒｓｔ  ｓｅｔのうちのいずれか１つのＳＳＢ  ｂｕｒｓｔ  ｓｅｔにおいてＳＳＢを送信することができる。ＭＣＯＴが１ｍｓであると仮定すると、図６に示すように、ネットワーク装置は、この２０ｍｓ内で傍受結果に応じて２番目、６番目、８番目、１２番目、１４番目、及び１８番目のｓｌｏｔを占有し、そのうち、２番目のｓｌｏｔ内にＳＳＢ２及びＳＳＢ３の伝送位置が含まれ、６番目のｓｌｏｔ内にＳＳＢ０及びＳＳＢ１の伝送位置が含まれ、８番目のｓｌｏｔ内にＳＳＢ４及びＳＳＢ５の伝送位置が含まれ、１２番目のｓｌｏｔ内にＳＳＢ２及びＳＳＢ３の伝送位置が含まれ、１４番目のｓｌｏｔ内にＳＳＢ６及びＳＳＢ７の伝送位置が含まれ、１８番目のｓｌｏｔ内にＳＳＢ４及びＳＳＢ５の伝送位置が含まれる。この場合に、ネットワーク装置は、２番目及び１２番目のｓｌｏｔ内でＳＳＢ２及びＳＳＢ３を伝送し、６番目のｓｌｏｔ内でＳＳＢ１を伝送し、８番目及び１８番目のｓｌｏｔ内でＳＳＢ４を伝送し、１４番目のｓｌｏｔ内でＳＳＢ７を伝送することができる。
【００４８】
さらに、ネットワーク装置は、同期信号ブロックの送信周期内で、同一の同期信号ブロックを一回だけ送信し、すなわち、ネットワーク装置は、チャネルが空いていることが傍受されると、第１同期信号ブロックの送信が該同期信号ブロックの送信周期内に完了したか否かを決定し、第１同期信号ブロックの送信が完了していなければ、チャネル占有時間内に第１同期信号ブロックの目標時間領域伝送位置を決定する。図６に示すように、ネットワーク装置は、この２０ｍｓ内で傍受結果に応じて２番目、６番目、８番目、１２番目、１４番目、及び１８番目のｓｌｏｔを占有し、そのうち、２番目のｓｌｏｔ内にＳＳＢ２及びＳＳＢ３の伝送位置が含まれ、６番目のｓｌｏｔ内にＳＳＢ０及びＳＳＢ１の伝送位置が含まれ、８番目のｓｌｏｔ内にＳＳＢ４及びＳＳＢ５の伝送位置が含まれ、１２番目のｓｌｏｔ内にＳＳＢ２及びＳＳＢ３の伝送位置が含まれ、１４番目のｓｌｏｔ内にＳＳＢ６及びＳＳＢ７の伝送位置が含まれ、１８番目のｓｌｏｔ内にＳＳＢ４及びＳＳＢ５の伝送位置が含まれる。この場合に、ネットワーク装置は、ＳＳＢ１、２、３、４及び７の１番目の伝送位置で伝送を行い、すなわち、２番目のｓｌｏｔ内にＳＳＢ２及びＳＳＢ３を伝送し、６番目のｓｌｏｔ内にＳＳＢ１を伝送し、８番目のｓｌｏｔ内にＳＳＢ４を伝送し、１４番目のｓｌｏｔ内にＳＳＢ７を伝送する。なお、ネットワーク装置は、チャネルが空いていることが傍受される場合、最大チャネル占有時間ＭＣＯＴの先頭位置及び終了位置は、サブフレーム又はｓｌｏｔ境界とは揃っていてもよく、揃っていなくてもよく、図６は、揃っている場合のみを例として例示する。
【００４９】
本開示の実施例の第１同期信号ブロックは、目標時間領域伝送位置を指示する指示情報を搬送している。すなわち、ＳＳＢ中の物理チャネル又は物理信号によって該ＳＳＢの実際の送信位置を指示する。例えば、ＳＳＢ中のＰＢＣＨのビットにより第１同期信号ブロックの目標時間領域伝送位置を指示する。
【００５０】
さらに、指示情報は、第１同期信号ブロックがそのデフォルト時間領域伝送位置で送信されるか否かを指示する、目標時間領域伝送位置が第１同期信号ブロックのデフォルト時間領域伝送位置であるか否かを指示する第１指示情報と、第１同期信号ブロックの全ての候補時間領域伝送位置の位置する時間領域リソースのＯＦＤＭシンボル、ｓｌｏｔ、サブフレーム又はフレームの番号を指示する、第１同期信号ブロックの候補時間領域伝送位置の時間領域リソースを指示する第２指示情報と、第１同期信号ブロックの実際の送信位置の位置する時間領域リソースのＯＦＤＭシンボル、ｓｌｏｔ、サブフレーム又はフレームの番号を指示する、目標時間領域伝送位置の時間領域リソースを指示する第３指示情報と、目標時間領域伝送位置と第１同期信号ブロックのデフォルト時間領域伝送位置とのオフセット量を指示する第４指示情報と、の少なくとも１つを含む。上記第４指示情報により指示されるオフセット量は、時間領域のオフセット値及び／又は同期信号ブロックインデックス番号のオフセット値を含む。すなわち、第４指示情報は、第１同期信号ブロックの実際の伝送位置がデフォルト時間領域伝送位置からいくつのＯＦＤＭシンボル、ｓｌｏｔ、サブフレーム、ハーフフレーム又はフレームだけオフセットしたかを指示するか、又は、第１同期信号ブロックの実際の伝送位置がデフォルト時間領域伝送位置からいくつのＳＳＢ  ｉｎｄｅｘの伝送位置だけオフセットしたかを指示する。
【００５１】
本開示の実施例の同期信号ブロックの伝送方法では、ネットワーク装置は、１つの期間内の異なる時点で同期信号ブロックを柔軟に送信し、同期信号ブロックの送信時間を逃したため、同期信号ブロックを送信できないという問題を回避することができ、通信の有効性を向上させることができる。
【００５２】
以上の実施例は、それぞれ異なる場合における同期信号ブロックの伝送方法を詳細に説明したが、以下、本実施例は、図面を参照しながら対応するネットワーク装置をさらに説明する。
【００５３】
図７に示すように、本開示の実施例のネットワーク装置７００は、上記実施例で、第１同期信号ブロックの少なくとも２つの候補時間領域伝送位置のうちの１つである、第１同期信号ブロックの下り信号送信時間内の目標時間領域伝送位置を決定することと、目標時間領域伝送位置により第１同期信号ブロックを送信することとを含む方法の詳細を実現し、かつ同様の効果を達成することができる。該ネットワーク装置７００は、具体的には、機能モジュールとして、第１同期信号ブロックの少なくとも２つの候補時間領域伝送位置のうちの１つである、第１同期信号ブロックの下り信号送信時間内の目標時間領域伝送位置を決定する第１処理モジュール７１０と、目標時間領域伝送位置により、第１同期信号ブロックを送信する送信モジュール７２０とを含む。
【００５４】
候補時間領域伝送位置は、１つのデフォルト時間領域伝送位置と、少なくとも１つの追加時間領域伝送位置とを含む。
【００５５】
追加時間領域伝送位置は、第１同期信号ブロックの属するグループ内の他の同期信号ブロックのデフォルト時間領域伝送位置のうちの少なくとも１つであり、グループは、インデックス番号が異なる少なくとも２つの同期信号ブロックを含む。
【００５６】
追加時間領域伝送位置は、全ての同期信号ブロックのデフォルト時間領域伝送位置以外の時間領域伝送位置のうちの１つである。
【００５７】
第１処理モジュール７１０は、同期信号ブロックの送信周期内で、チャネルが空いていることが傍受されると、チャネル占有時間内に第１同期信号ブロックの目標時間領域伝送位置を決定する第１決定サブモジュールを含み、第１同期信号ブロックの送信周期はＮ個の５ｍｓであり、Ｎは１より大きい正整数である。
【００５８】
第１決定サブモジュールは、チャネルが空いていることが傍受されると、同期信号ブロックの送信周期内に第１同期信号ブロックの送信が完了したか否かを決定する第１決定ユニットと、第１同期信号ブロックの送信が完了していなければ、チャネル占有時間内に第１同期信号ブロックの目標時間領域伝送位置を決定する第２決定ユニットとを含む。
【００５９】
第１同期信号ブロックは、目標時間領域伝送位置を指示する指示情報を搬送している。
【００６０】
指示情報は、目標時間領域伝送位置が第１同期信号ブロックのデフォルト時間領域伝送位置であるか否かを指示する第１指示情報と、第１同期信号ブロックの候補時間領域伝送位置の時間領域リソースを指示する第２指示情報と、目標時間領域伝送位置の時間領域リソースを指示する第３指示情報と、目標時間領域伝送位置と第１同期信号ブロックのデフォルト時間領域伝送位置とのオフセット量を指示する第４指示情報と、のうちの少なくとも１つを含む。
【００６１】
オフセット量は、時間領域のオフセット値及び／又は同期信号ブロックインデックス番号のオフセット値を含む。
【００６２】
好ましくは、５ｍｓハーフフレーム内で、前記目標時間領域伝送位置の先頭の直交周波数分割多重ＯＦＤＭシンボルの番号は、（２＋１４＊ｎ＋１４＊５）又は（８＋１４＊ｎ＋１４＊５）であり、ここでｎ＝０、１、２、３である。
【００６３】
なお、本開示の実施例のネットワーク装置は、１つの期間内の異なる時点で同期信号ブロックを柔軟に送信し、同期信号ブロックの送信時間を逃したため、同期信号ブロックを送信できないという問題を回避することができ、通信の有効性を向上させることができる。
【００６４】
上記目的をより上手く達成するために、本開示の実施例は、ネットワーク装置をさらに提供し、該ネットワーク装置は、プロセッサと、メモリと、メモリに記憶されてプロセッサ上で実行可能で、プロセッサによって実行されると上記同期信号ブロックの伝送方法を実現するコンピュータプログラムとを含む。
【００６５】
本開示の実施例は、プロセッサによって実行されると上記同期信号ブロックの伝送方法を実現するコンピュータプログラムが記憶されているコンピュータ読み取り可能な記憶媒体をさらに提供する。
【００６６】
具体的には、本開示の実施例は、ネットワーク装置をさらに提供する。図８に示すように、該ネットワーク装置８００は、アンテナ８１、無線周波数装置８２及びベースバンド装置８３を含む。アンテナ８１は無線周波数装置８２と接続される。上り方向に、無線周波数装置８２は、アンテナ８１を介して情報を受信し、かつ受信した情報をベースバンド装置８３に送信して処理を行う。下り方向に、ベースバンド装置８３は、送信対象となる情報を処理し、かつ無線周波数装置８２に送信し、無線周波数装置８２は、受信した情報を処理してからアンテナ８１を介して送信する。
【００６７】
以上の実施例におけるネットワーク装置が実行する方法は、ベースバンド装置８３において実現されてよく、該ベースバンド装置８３は、プロセッサ８４及びメモリ８５を含む。
【００６８】
ベースバンド装置８３は、例えば、複数のチップが設置された少なくとも１つのベースバンドボードを含んでよく、図８に示すように、例えば、プロセッサ８４であるチップは、メモリ８５と接続されて、メモリ８５中のプログラムを呼び出して、以上の方法の実施例において示したネットワーク装置の動作を実行する。
【００６９】
該ベースバンド装置８３は、無線周波数装置８２と情報を変換するネットワークインタフェース８６をさらに含んでよく、該インタフェースは、例えば共通公衆無線インタフェース（ｃｏｍｍｏｎ  ｐｕｂｌｉｃ  ｒａｄｉｏ  ｉｎｔｅｒｆａｃｅ，ＣＰＲＩ）である。
【００７０】
ここでのプロセッサは、１つのプロセッサであってもよく、複数の処理素子の総称であってもよく、例えば、該プロセッサは、ＣＰＵであってもよく、ＡＳＩＣであってもよく、あるいは、以上のネットワーク装置によって実行される方法を実施するように構成された１つ又は複数の集積回路であり、例えば、１つ若しくは複数のマイクロプロセッサ、又はデジタルシグナルプロセッサＤＳＰ、又は１つ若しくは複数のフィールドプログラマブルゲートアレイＦＰＧＡである。記憶素子は、１つのメモリであってもよく、複数の記憶素子の総称であってもよい。
【００７１】
メモリ８５は、揮発性メモリ又は不揮発性メモリであってもよく、揮発性と不揮発性メモリの両方を含んでもよい。不揮発性メモリは、読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。限定的なものではなく例示的な説明によれば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲＳＤＲＡＭ）、エンハンスドシンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトラムバスランダムアクセスメモリ（Ｄｉｒｅｃｔ  Ｒａｍｂｕｓ  ＲＡＭ、ＤＲＲＡＭ）などの多くの形態のＲＡＭは使用可能である。本願において説明されるメモリ８５は、これらと他の任意の適切なタイプのメモリを含むが、それらに限定されない。
【００７２】
具体的には、本開示の実施例のネットワーク装置は、メモリ８５に記憶されてプロセッサ８４上で実行可能なコンピュータプログラムをさらに含み、プロセッサ８４は、メモリ８５におけるコンピュータプログラムを呼び出して、図７に示す各モジュールによって実行される方法を実行する。
【００７３】
具体的には、コンピュータプログラムは、プロセッサ８４によって呼び出されると、第１同期信号ブロックの少なくとも２つの候補時間領域伝送位置のうちの１つである、第１同期信号ブロックの下り信号送信時間内の目標時間領域伝送位置を決定することと、目標時間領域伝送位置により、第１同期信号ブロックを送信することとを実行するために用いられてよい。
【００７４】
候補時間領域伝送位置は、１つのデフォルト時間領域伝送位置と、少なくとも１つの追加時間領域伝送位置とを含む。
【００７５】
追加時間領域伝送位置は、第１同期信号ブロックの属するグループ内の他の同期信号ブロックのデフォルト時間領域伝送位置のうちの少なくとも１つであり、グループは、インデックス番号が異なる少なくとも２つの同期信号ブロックを含む。
【００７６】
追加時間領域伝送位置は、全ての同期信号ブロックのデフォルト時間領域伝送位置以外の時間領域伝送位置のうちの１つである。
【００７７】
コンピュータプログラムは、プロセッサ８４によって呼び出されると、同期信号ブロックの送信周期内で、チャネルが空いていることが傍受されると、チャネル占有時間内に第１同期信号ブロックの目標時間領域伝送位置を決定することを実行するために用いられてよく、第１同期信号ブロックの送信周期はＮ個の５ｍｓであり、Ｎは１より大きい正整数である。
【００７８】
コンピュータプログラムは、プロセッサ８４によって呼び出されると、チャネルが空いていることが傍受されると、同期信号ブロックの送信周期内に第１同期信号ブロックの送信が完了したか否かを決定することと、第１同期信号ブロックの送信が完了していなければ、チャネル占有時間内に第１同期信号ブロックの目標時間領域伝送位置を決定することとを実行するために用いられてよい。
【００７９】
第１同期信号ブロックは、目標時間領域伝送位置を指示する指示情報を搬送している。
【００８０】
指示情報は、目標時間領域伝送位置が第１同期信号ブロックのデフォルト時間領域伝送位置であるか否かを指示する第１指示情報と、第１同期信号ブロックの候補時間領域伝送位置の時間領域リソースを指示する第２指示情報と、目標時間領域伝送位置の時間領域リソースを指示する第３指示情報と、目標時間領域伝送位置と第１同期信号ブロックのデフォルト時間領域伝送位置とのオフセット量を指示する第４指示情報と、のうちの少なくとも１つを含む。
【００８１】
オフセット量は、時間領域のオフセット値及び／又は同期信号ブロックインデックス番号のオフセット値を含む。
【００８２】
好ましくは、５ｍｓハーフフレーム内で、前記目標時間領域伝送位置の先頭の直交周波数分割多重ＯＦＤＭシンボルの番号は、（２＋１４＊ｎ＋１４＊５）又は（８＋１４＊ｎ＋１４＊５）であり、ここでｎ＝０、１、２、３である。
【００８３】
ネットワーク装置は、移動通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）における基地局（ＮｏｄｅＢ、ＮＢ）であってもよく、さらに、ＬＴＥにおける進化型基地局（Ｅｖｏｌｕｔｉｏｎａｌ  Ｎｏｄｅ  Ｂ、ｅＮＢ又はｅＮｏｄｅＢ）又は中継局又はアクセスポイント、又は将来の５Ｇネットワークにおける基地局などであってもよく、ここで限定されない。
【００８４】
本開示の実施例におけるネットワーク装置は、１つの期間内の異なる時点で同期信号ブロックを柔軟に送信し、同期信号ブロックの送信時間を逃したため、同期信号ブロックを送信できないという問題を回避することができ、通信の有効性を向上させることができる。
【００８５】
以上の実施例は、ネットワーク装置側から本開示の同期信号ブロックの伝送方法を説明したが、以下、本実施例は、図面を参照しながら同期信号ブロックの伝送方法をさらに説明する。
【００８６】
図９に示すように、本開示の実施例の同期信号ブロックの伝送方法は、端末側に適用され、以下のステップを含む。
【００８７】
ステップ９１において、第１同期信号ブロックを受信する。
【００８８】
第１同期信号ブロックは、目標時間領域伝送位置を指示する指示情報を搬送している。すなわち、指示情報は、ＳＳＢ中の物理チャネル又は物理信号によって搬送されて、該ＳＳＢの実際の送信位置を指示することができる。例えば、ＳＳＢ中のＰＢＣＨのビットにより第１同期信号ブロックの目標時間領域伝送位置を指示する。
【００８９】
ステップ９２において、指示情報に基づいて、第１同期信号ブロックの目標時間領域伝送位置を決定する。
【００９０】
目標時間領域伝送位置は、第１同期信号ブロックの少なくとも２つの候補時間領域伝送位置のうちの１つである。ネットワーク装置は、下り信号送信時間内において、少なくとも２つの候補時間領域伝送位置から１つを第１同期信号ブロックの目標時間領域伝送位置として選択し、選択可能な候補時間領域伝送位置が複数あるため、ネットワーク装置は同期信号ブロックをより柔軟に送信することができる。
【００９１】
候補時間領域伝送位置は、１つのデフォルト時間領域伝送位置と、少なくとも１つの追加時間領域伝送位置とを含む。デフォルト時間領域伝送位置は、ライセンス帯域での第１同期信号ブロックの時間領域伝送位置と同じである。
【００９２】
さらに、追加時間領域伝送位置は、デフォルト時間領域伝送位置以外の、同期信号ブロックの伝送用の他の時間領域伝送位置であり、追加時間領域伝送位置は、第１同期信号ブロックの属するグループ内の他の同期信号ブロックのデフォルト時間領域伝送位置のうちの少なくとも１つであってもよく、グループは、インデックス番号が異なる少なくとも２つの同期信号ブロックを含む。或いは、追加時間領域伝送位置は、全ての同期信号ブロックのデフォルト時間領域伝送位置以外の時間領域伝送位置のうちの１つである。
【００９３】
ステップ９２は、指示情報に基づいて、同期信号ブロックの送信周期内の第１同期信号ブロックの目標時間領域伝送位置を決定することを含み、同期信号ブロックの送信周期はＮ個の５ｍｓであり、Ｎは１より大きい正整数である。同期信号ブロックの送信周期内に、異なるＳＳＢ  ｂｕｒｓｔ  ｓｅｔ（５ｍｓ、例えばそれぞれの１０ｍｓフレームの先頭位置又は５ｍｓハーフフレームの先頭位置からの５ｍｓの持続時間）における第１同期信号ブロックのデフォルト時間領域伝送位置を、いずれも第１同期信号ブロックの候補時間領域伝送位置として決定し、ネットワーク装置は、１つのＳＳＢ  ｂｕｒｓｔ  ｓｅｔにおいて、システム情報又は無線リソース制御（Ｒａｄｉｏ  Ｒｅｓｏｕｒｃｅ  Ｃｏｎｔｒｏｌ、ＲＲＣ）シグナリングにより送信が必要と指示されたＳＳＢのうちの一部のＳＳＢのみを送信することができ、すなわち、送信する必要がある全てのＳＳＢの送信を１つの５ｍｓの窓内で完了させることを要求しない。
【００９４】
なお、上記指示情報は、第１同期信号ブロックがそのデフォルト時間領域伝送位置で送信されるか否かを指示する、目標時間領域伝送位置が第１同期信号ブロックのデフォルト時間領域伝送位置であるか否かを指示する第１指示情報と、第１同期信号ブロックの全ての候補時間領域伝送位置の位置する時間領域リソースのＯＦＤＭシンボル、ｓｌｏｔ、サブフレーム又はフレームの番号を指示する、第１同期信号ブロックの候補時間領域伝送位置の時間領域リソースを指示する第２指示情報と、第１同期信号ブロックの実際の送信位置の位置する時間領域リソースのＯＦＤＭシンボル、ｓｌｏｔ、サブフレーム又はフレームの番号を指示する、目標時間領域伝送位置の時間領域リソースを指示する第３指示情報と、目標時間領域伝送位置と第１同期信号ブロックのデフォルト時間領域伝送位置とのオフセット量を指示する第４指示情報と、のうちの少なくとも１つを含む。
【００９５】
上記第４指示情報により指示されるオフセット量は、時間領域のオフセット値及び／又は同期信号ブロックインデックス番号のオフセット値を含む。
【００９６】
好ましくは、５ｍｓハーフフレーム内で、前記目標時間領域伝送位置の先頭の直交周波数分割多重ＯＦＤＭシンボルの番号は、（２＋１４＊ｎ＋１４＊５）又は（８＋１４＊ｎ＋１４＊５）であり、ここでｎ＝０、１、２、３である。
【００９７】
本開示の実施例の同期信号ブロックの伝送方法によれば、１つの期間内の異なる時点で同期信号ブロックを柔軟に送信し、同期信号ブロックの送信時間を逃したため、同期信号ブロックを送信できないという問題を回避することができ、通信の有効性を向上させることができる。
【００９８】
以上の実施例は、異なる場合における同期信号ブロックの伝送方法を説明したが、以下、図面を参照しながら対応する端末をさらに説明する。
【００９９】
図１０に示すように、本開示の実施例の端末１０００は、上記実施例では、目標時間領域伝送位置を指示する指示情報を搬送している第１同期信号ブロックを受信することと、指示情報に基づいて、第１同期信号ブロックの少なくとも２つの候補時間領域伝送位置のうちの１つである、第１同期信号ブロックの目標時間領域伝送位置を決定することとを含む方法の詳細を実現し、かつ同様の効果を達成することができ、該端末１０００は、具体的には、機能モジュールとして、目標時間領域伝送位置を指示する指示情報を搬送している第１同期信号ブロックを受信する受信モジュール１０１０と、指示情報に基づいて、第１同期信号ブロックの少なくとも２つの候補時間領域伝送位置のうちの１つである、第１同期信号ブロックの目標時間領域伝送位置を決定する第２処理モジュール１０２０とを含む。
【０１００】
候補時間領域伝送位置は、１つのデフォルト時間領域伝送位置と、少なくとも１つの追加時間領域伝送位置とを含む。
【０１０１】
追加時間領域伝送位置は、第１同期信号ブロックの属するグループ内の他の同期信号ブロックのデフォルト時間領域伝送位置のうちの少なくとも１つであり、グループは、インデックス番号が異なる少なくとも２つの同期信号ブロックを含む。
【０１０２】
追加時間領域伝送位置は、全ての同期信号ブロックのデフォルト時間領域伝送位置以外の時間領域伝送位置のうちの１つである。
【０１０３】
第２処理モジュール１０２０は、指示情報に基づいて、同期信号ブロックの送信周期内の第１同期信号ブロックの目標時間領域伝送位置を決定する第２決定サブモジュールを含み、同期信号ブロックの送信周期はＮ個の５ｍｓであり、Ｎは１より大きい正整数である。
【０１０４】
指示情報は、目標時間領域伝送位置が第１同期信号ブロックのデフォルト時間領域伝送位置であるか否かを指示する第１指示情報と、第１同期信号ブロックの候補時間領域伝送位置の時間領域リソースを指示する第２指示情報と、目標時間領域伝送位置の時間領域リソースを指示する第３指示情報と、目標時間領域伝送位置と第１同期信号ブロックのデフォルト時間領域伝送位置とのオフセット量を指示する第４指示情報と、のうちの少なくとも１つを含む。
【０１０５】
オフセット量は、時間領域のオフセット値及び／又は同期信号ブロックインデックス番号のオフセット値を含む。
【０１０６】
好ましくは、５ｍｓハーフフレーム内で、前記目標時間領域伝送位置の先頭の直交周波数分割多重ＯＦＤＭシンボルの番号は、（２＋１４＊ｎ＋１４＊５）又は（８＋１４＊ｎ＋１４＊５）であり、ここでｎ＝０、１、２、３である。
【０１０７】
なお、本開示の実施例では、１つの期間内の異なる時点で同期信号ブロックを柔軟に送信し、同期信号ブロックの送信時間を逃したため、同期信号ブロックを送信できないという問題を回避することができ、通信の有効性を向上させることができる。
【０１０８】
なお、以上のネットワーク装置と端末の各モジュールの区分は、論理機能の区分に過ぎず、実際に実現する場合、全て又は一部を１つの物理的実体に集積してもよく、物理的に分離してもよい。これらのモジュールは、全て処理素子によりソフトウェアを呼び出す形態で実現されてもよく、全てハードウェアの形態で実現されてもよく、さらに、一部のモジュールは処理素子によりソフトウェアを呼び出す形態で実現され、一部のモジュールはハードウェアの形態で実現されてもよい。例えば、決定モジュールは、別個に設置された処理素子であってもよく、上記装置のあるチップに集積されて実現されてもよく、また、プログラムコードの形態で上記装置のメモリに記憶され、上記装置のある処理素子によって呼び出されて、以上の決定モジュールの機能を実行してもよい。他のモジュールの実現はそれに類似する。また、これらのモジュールは、全て又は一部が集積されてもよく、別個に実現されてもよい。ここでの処理素子は、信号の処理能力を有する集積回路であってよい。実現過程において、上記方法の各ステップ又は以上の各モジュールは、プロセッサ素子におけるハードウェアの集積論理回路又はソフトウェア形態のコマンドによって達成できる。
【０１０９】
例えば、以上のこれらのモジュールは、以上の方法を実施する、１つ又は複数の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、又は１つ又は複数のマイクロプロセッサ、又は１つ又は複数のデジタルシグナルプロセッサ（ｄｉｇｉｔａｌ  ｓｉｇｎａｌ  ｐｒｏｃｅｓｓｏｒ、ＤＳＰ）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などの１つ又は複数の集積回路として構成されてよい。また、以上のいずれかのモジュールは処理素子によりプログラムコードを呼び出す形態で実現されると、該処理素子は、中央処理装置（Ｃｅｎｔｒａｌ  Ｐｒｏｃｅｓｓｉｎｇ  Ｕｎｉｔ、ＣＰＵ）又はプログラムコードを呼び出し可能な他のプロセッサなどの汎用プロセッサであってよい。また、これらのモジュールは、集積されて、システムオンチップ（ｓｙｓｔｅｍ−ｏｎ−ａ−ｃｈｉｐ、ＳＯＣ）の形態で実現することができる。
【０１１０】
上記目的をよりよく達成するために、さらに、図１１は、本開示の各実施例を実現する端末のハードウェア構成概略図であり、該端末１１０は、無線周波数ユニット１１１、ネットワークモジュール１１２、オーディオ出力ユニット１１３、入力ユニット１１４、センサ１１５、表示ユニット１１６、ユーザ入力ユニット１１７、インタフェースユニット１１８、メモリ１１９、プロセッサ１１１０及び電源１１１１などの部品を含むが、これらに限定されない。当業者が理解できるように、図１１に示す端末の構造は、端末を限定するものではなく、端末は、図示より多いか又は少ない部品を含んでもよく、ある部品を組み合わせたり、部品を異なるように配置したりしてもよい。本開示の実施例では、端末は、携帯電話、タブレットパーソナルコンピュータ、ノートパソコン、パームトップコンピュータ、車載端末、ウェアラブル装置及び歩数計などを含むが、これらに限定されない。
【０１１１】
無線周波数ユニット１１１は、目標時間領域伝送位置を指示する指示情報を搬送している第１同期信号ブロックを受信し、プロセッサ１１１０は、指示情報に基づいて、第１同期信号ブロックの少なくとも２つの候補時間領域伝送位置のうちの１つである、第１同期信号ブロックの目標時間領域伝送位置を決定し、本開示の実施例では、１つの期間内の異なる時点で同期信号ブロックを柔軟に送信し、同期信号ブロックの送信時間を逃したため、同期信号ブロックを送信できないという問題を回避することができ、通信の有効性を向上させることができる。
【０１１２】
理解すべきこととして、本開示の実施例では、無線周波数ユニット１１１は、情報の送受信、又は通話中の信号の送受信に用いられてよく、具体的には、基地局からの下りデータを受信した後、処理のためにプロセッサ１１１０に送信し、また、上りデータを基地局に送信する。一般的に、無線周波数ユニット１１１は、アンテナ、少なくとも１つの増幅器、トランシーバ、カプラ、低雑音増幅器、デュプレクサなどを含むが、これらに限定されない。また、無線周波数ユニット１１１は、さらに無線通信システムによりネットワーク及び他の装置と通信することができる。
【０１１３】
端末は、ネットワークモジュール１１２を介してユーザに無線の広帯域インターネットアクセスを提供し、例えばユーザによる電子メールの送受信、ウェブページの閲覧及びストリーミングメディアへのアクセスなどを助ける。
【０１１４】
オーディオ出力ユニット１１３は、無線周波数ユニット１１１又はネットワークモジュール１１２によって受信されるか又はメモリ１１９に記憶されるオーディオデータをオーディオ信号に変換して音として出力することができる。また、オーディオ出力ユニット１１３はさらに、端末１１０により実行される特定の機能に関連するオーディオ出力（例えば、呼信号受信音、メッセージ受信音など）を提供してもよい。オーディオ出力ユニット１１３は、スピーカ、ブザー及び受話器などを含む。
【０１１５】
入力ユニット１１４は、オーディオ又はビデオ信号を受信する。入力ユニット１１４は、グラフィックプロセッサ（Ｇｒａｐｈｉｃｓ  Ｐｒｏｃｅｓｓｉｎｇ  Ｕｎｉｔ、ＧＰＵ）１１４１及びマイクロフォン１１４２を含んでよく、グラフィックプロセッサ１１４１は、動画撮影モード又は画像撮影モードで撮影装置（例えば、カメラ）によって取得された静止画像又はビデオの画像データを処理する。処理後の画像フレームは、表示ユニット１１６に表示することができる。グラフィックプロセッサ１１４１によって処理された画像フレームは、メモリ１１９（又は他の記憶媒体）に記憶されてもよく、無線周波数ユニット１１１又はネットワークモジュール１１２によって送信されてもよい。マイクロフォン１１４２は、音を受信し、かつこのような音をオーディオデータに処理することができる。処理後のオーディオデータは、電話通話モードで無線周波数ユニット１１１によって移動通信基地局に送信可能なフォーマットに変換されて出力することができる。
【０１１６】
端末１１０は、光センサ、動きセンサ及び他のセンサなどの少なくとも１種のセンサ１１５をさらに含んでよい。具体的には、光センサは、環境光線の明るさに応じて表示パネル１１６１の輝度を調節することができる環境光センサと、端末１１０が耳元に移動するときに、表示パネル１１６１及び／又はバックライトをオフにすることができる近接センサとを含む。動きセンサの１種として、加速度計センサは、各方向（一般的に３軸）の加速度の大きさを検出でき、静止時に重力の大きさ及び方向を検出でき、端末姿勢の識別（例えば、縦向き／横向きの切替、ゲーム関連、磁力計の姿勢較正）、振動識別に関連する機能（例えば、歩数計、タッピング）などに用いられてよく、センサ１１５はさらに、指紋センサ、圧力センサ、虹彩センサ、分子センサ、ジャイロスコープ、気圧計、湿度計、温度計、赤外線センサなどを含んでよく、ここでは説明を省略する。
【０１１７】
表示ユニット１１６は、ユーザによって入力された情報又はユーザに提供された情報を表示する。表示ユニット１１６は、表示パネル１１６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル１１６１を配置することができる。
【０１１８】
ユーザ入力ユニット１１７は、入力された数字又は文字情報を受信すると共に、端末のユーザ設定及び機能制御に関連するキー信号入力を生成することができる。具体的には、ユーザ入力ユニット１１７は、タッチパネル１１７１及び他の入力装置１１７２を含む。タッチパネル１１７１は、タッチスクリーンとも呼ばれ、その上又はその近くでのユーザのタッチ操作（例えば、指、スタイラスペンなどの任意の適切な物体又は付属品を用いるタッチパネル１１７１上又はタッチパネル１１７１の近くでのユーザの操作）を収集することができる。タッチパネル１１７１は、タッチ検出装置及びタッチコントローラという２つの部分を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ１１１０に送信し、プロセッサ１１１０から送信されたコマンドを受信し、実行する。また、抵抗式、容量式、赤外線式及び表面弾性波式などの複数のタイプでタッチパネル１１７１を実現することができる。タッチパネル１１７１に加えて、ユーザ入力ユニット１１７は、他の入力装置１１７２をさらに含んでよい。具体的には、他の入力装置１１７２は、物理キーボード、機能キー（例えば、ボリューム調節キー、スイッチキーなど）、トラックボール、マウス及び操作レバーを含み得るが、これらに限定されず、ここでは説明を省略する。
【０１１９】
さらに、タッチパネル１１７１は、表示パネル１１６１をカバーすることができ、タッチパネル１１７１がその上又はその近くでのタッチ操作を検出した後、プロセッサ１１１０に伝送してタッチイベントのタイプを決定し、その後に、プロセッサ１１１０は、タッチイベントのタイプに応じて対応する視覚的出力を表示パネル１１６１に提供する。図１１において、タッチパネル１１７１と表示パネル１１６１は、２つの独立した部品として端末の入出力機能を実現するが、いくつかの実施例では、タッチパネル１１７１と表示パネル１１６１を一体化して端末の入出力機能を実現することができ、ここでは具体的に限定しない。
【０１２０】
インタフェースユニット１１８は、外部装置と端末１１０を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポートなどを含んでよい。インタフェースユニット１１８は、外部装置からの入力（例えば、データ情報、電力など）を受信すると共に、受信した入力を端末１１０内の１つ又は複数の素子に伝送するか又は端末１１０と外部装置との間でデータを伝送することができる。
【０１２１】
メモリ１１９は、ソフトウェアプログラム及び様々なデータを記憶することができる。メモリ１１９は、主に、オペレーティングシステム、少なくとも１つの機能に必要なアプリケーションプログラム（例えば、音再生機能、画像再生機能など）などを記憶することができるプログラム記憶領域と、携帯電話の使用に応じて作成されたデータ（例えば、オーディオデータ、電話帳など）などを記憶することができるデータ記憶領域とを含んでよい。また、メモリ１１９は、高速ランダムアクセスメモリを含んでよもく、少なくとも１つの磁気ディスクメモリ素子、フラッシュメモリ素子又は他の揮発性固体メモリ素子などの不揮発性メモリを含んでもよい。
【０１２２】
プロセッサ１１１０は、端末の制御センタであり、様々なインタフェース及び回線を用いて端末全体の各部分を接続し、メモリ１１９に記憶されたソフトウェアプログラム及び／又はモジュールを動作させるか又は実行し、かつメモリ１１９に記憶されたデータを呼び出すことにより、端末の様々な機能及びデータの処理を実行し、それにより端末全体をモニタリングする。プロセッサ１１１０は、１つ又は複数の処理ユニットを含んでよく、好ましくは、プロセッサ１１１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ１１１０に集積されなくてもよいことを理解されたい。
【０１２３】
端末１１０は、各部品に給電する電源１１１１（例えば、電池）を含んでよく、好ましくは、電源１１１１は、電源管理システムによりプロセッサ１１１０と論理的に接続されて、電源管理システムにより充電、放電の管理及び消費電力の管理などの機能を実現する。
【０１２４】
また、端末１１０は、いくつかの未図示の機能モジュールを含み、ここでは説明を省略する。
【０１２５】
好ましくは、本開示の実施例は、プロセッサ１１１０と、メモリ１１９と、メモリ１１９に記憶されて前記プロセッサ１１１０上で実行可能で、プロセッサ１１１０によって実行されると、上記同期信号ブロックの伝送方法の実施例の各プロセスを実現し、かつ同じ技術的効果を達成できるコンピュータプログラムとを含む、端末をさらに提供し、重複を避けるために、ここでは説明を省略する。端末は、無線端末であってもよく、有線端末であってもよく、無線端末は、ユーザに音声及び／又は他のサービスデータ接続性を提供する装置、無線接続機能を有するハンドヘルド装置、又は無線モデムに接続される他の処理装置であってよい。無線端末は、無線アクセスネットワーク（Ｒａｄｉｏ  Ａｃｃｅｓｓ  Ｎｅｔｗｏｒｋ、ＲＡＮ）を介して１つ又は複数のコアネットワークと通信可能であり、無線端末は、携帯電話（又は、「セルラー」電話）などの携帯端末、携帯端末を有するコンピュータ、例えば、携帯式、ポケット、手持ち式、コンピュータ内蔵又は車載の移動装置であってよく、それらは無線アクセスネットワークと言語及び／又はデータを交換する。例えば、個人通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話機、加入者系無線アクセス網（Ｗｉｒｅｌｅｓｓ  Ｌｏｃａｌ  Ｌｏｏｐ、ＷＬＬ）基地局、パーソナルデジタルアシスタント（Ｐｅｒｓｏｎａｌ  Ｄｉｇｉｔａｌ  Ａｓｓｉｓｔａｎｔ、ＰＤＡ）などの装置であってよい。無線端末は、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局（Ｍｏｂｉｌｅ）、遠隔ステーション（Ｒｅｍｏｔｅ  Ｓｔａｔｉｏｎ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ装置（Ｕｓｅｒ  Ｄｅｖｉｃｅ  ｏｒ  Ｕｓｅｒ  Ｅｑｕｉｐｍｅｎｔ）と呼ばれてもよく、ここでは限定しない。
【０１２６】
本開示の実施例は、プロセッサによって実行されると、上記同期信号ブロックの伝送方法の実施例の各プロセスを実現し、かつ同様な技術的効果を達成することができるコンピュータプログラムが記憶されているコンピュータ読み取り可能な記憶媒体をさらに提供し、重複を避けるために、ここでは説明を省略する。前記コンピュータ読み取り可能な記憶媒体は、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【０１２７】
当業者であれば理解できるように、本明細書で開示される実施例と組み合わせて説明された各例のユニット及びアルゴリズムステップは、電子ハードウェア、またコンピュータソフトウェアと電子ハードウェアとの組み合わせにより実現することができる。これらの機能がハードウェアの形態で実行されるか又はソフトウェアの形態で実行されるかは、技術手段の特定の応用及び設計上の制約条件に依存する。当業者は、各特定の応用において異なる方法で説明された機能を実現することができるが、このような実現は本開示の範囲を超えていると考えられるべきではない。
【０１２８】
当業者であれば明確に理解できるように、便利かつ簡潔で説明するために、上述したシステム、装置及びユニットの具体的な動作プロセスについては、前述の方法の実施例における対応するプロセスを参照することができ、ここでは説明を省略する。
【０１２９】
本願に係る実施例では、開示される装置及び方法は他の形態によって実現することができると理解されたい。例えば、上述した装置の実施例は、例示的なものに過ぎず、例えば、前記ユニットの区分は、論理機能の区分に過ぎず、実際に実現する場合に他の区分方式があり得て、例えば、複数のユニット又は構成部品は組み合わせられてもよいか又は別のシステムに集積されてもよく、いくつかの特徴は無視されてもよいか又は実行されなくてもよい。また、示されるか又は議論される相互結合、直接結合又は通信接続は、いくつかのインタフェースを使用して実現でき、装置又はユニット間の間接結合又は通信接続は、電気的、機械的、又は他の形態であってもよい。
【０１３０】
分離部品として説明した前記ユニットは、物理的に分離しても分離しなくてもよく、ユニットとして表示される部品は、物理ユニットであってもなくてもよく、すなわち、１つの箇所に位置してもよく、複数のネットワークユニットに分布してもよい。実際の需要に応じて、それらのうちの一部又は全てのユニットを選択して本実施例の技術手段の目的を達成することができる。
【０１３１】
また、本開示の各実施例における各機能ユニットは１つの処理ユニットに集積されてもよく、各ユニットは別個に物理的に存在してもよく、さらに２つ以上のユニットは１つのユニットに集積されてもよい。
【０１３２】
前記機能がソフトウェア機能ユニットの形態で実現され、かつ独立した製品として販売又は使用されれば、１つのコンピュータ読み取り可能な記憶媒体に記憶されてよい。このような理解に基づいて、本開示の技術手段の本質的に又は従来技術に貢献する部分又は該技術手段の一部は、ソフトウェア製品の形態で実現されてもよく、該コンピュータソフトウェア製品は、コンピュータ装置（パーソナルコンピュータ、サーバ、又はネットワーク装置などであってよい）に本開示の各実施例に記載の方法の全て又は一部のステップを実行させるためのいくつかの指令を含む記憶媒体に記憶されている。前述の記憶媒体は、Ｕディスク、リムーバブルハードディスク、ＲＯＭ、ＲＡＭ、磁気ディスク又は光ディスクなどの、プログラムコードを記憶できる様々な媒体を含む。
【０１３３】
なお、本開示の装置及び方法において、明らかに、各部品又は各ステップは、分解及び／又は再組み合わせが可能である。これらの分解及び／又は再組み合わせは、本開示の等価な方案と見なすべきである。そして、上記一連の処理を実行するステップは、自然的に説明の順に時間順に実行することができるが、必ずしも時間順に実行される必要がなく、いくつかのステップは並列的に又は互いに独立して実行することもできる。当業者であれば理解できるように、本開示の方法及び装置の全て又は任意のステップや部品は、任意の計算装置（プロセッサ、記憶媒体などを含む）又は計算装置のネットワークにおいて、ハードウェア、ファームウェア、ソフトウェア又はそれらの組み合わせによって実現することができ、これは、当業者が本開示の説明を読んだ上で彼らの基本的なプログラミングスキルを利用して実現できるものである。
【０１３４】
したがって、本開示の目的は、任意の計算装置上で、１つのプログラムを実行したり、１セットのプログラムを実行したりすることにより実現することができる。前記計算装置は、公知の汎用装置であってよい。したがって、本開示の目的は、さらに、前記方法又は装置を実現するプログラムコードを含むプログラム製品のみを提供することにより達成することができる。すなわち、このようなプログラム製品も本開示を構成するものであり、かつこのようなプログラム製品が記憶されている記憶媒体も本開示を構成するものである。明らかに、前記記憶媒体は、任意の公知の記憶媒体又は将来に開発される任意の記憶媒体であってよい。なお、本開示の装置及び方法において、明らかに、各部品又は各ステップは、分解及び／又は再組み合わせが可能である。これらの分解及び／又は再組み合わせは、本開示の等価な方案と見なすべきである。そして、上記一連の処理を実行するステップは、自然的に説明の順に時間順に実行することができるが、必ずしも時間順に実行される必要がない。いくつかのステップは並列的に又は互いに独立して実行することもできる。
【０１３５】
以上の説明は、本開示の好ましい実施形態であり、なお、当業者であれば、本開示の前記原理から逸脱しない前提でいくつかの改良と修飾を行うこともでき、これらの改良と修飾も本開示の保護範囲に含まれる。
【符号の説明】
【０１３６】
１１  端末
１２  ネットワーク装置
７００  ネットワーク装置
７１０  第１処理モジュール
７２０  送信モジュール
８００  ネットワーク装置
８１  アンテナ
８２  無線周波数装置
８３  ベースバンド装置
８４  プロセッサ
８５  メモリ
８６  ネットワークインタフェース
１０００  端末
１０１０  受信モジュール
１０２０  第２処理モジュール
１１０  端末
１１１  無線周波数ユニット
１１２  ネットワークモジュール
１１３  オーディオ出力ユニット
１１４  入力ユニット
１１４１  グラフィックプロセッサ
１１４２  マイクロフォン
１１５  センサ
１１６  表示ユニット
１１６１  表示パネル
１１７  ユーザ入力ユニット
１１７１  タッチパネル
１１７２  入力装置
１１８  インタフェースユニット
１１９  メモリ
１１１０  プロセッサ
１１１１  電源
【図１】
2021526759.tif 000003
【図２】
2021526759.tif 000004
【図３】
2021526759.tif 000005
【図４】
2021526759.tif 000006
【図５】
2021526759.tif 000007
【図６】
2021526759.tif 000008
【図７】
2021526759.tif 000009
【図８】
2021526759.tif 000010
【図９】
2021526759.tif 000011
【図１０】
2021526759.tif 000012
【図１１】
2021526759.tif 000013
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
ネットワーク装置側に適用される同期信号ブロックの伝送方法であって、
第１同期信号ブロックの少なくとも２つの候補時間領域伝送位置のうちの１つである、前記第１同期信号ブロックの下り信号送信時間内の目標時間領域伝送位置を決定することと、
前記目標時間領域伝送位置により、前記第１同期信号ブロックを送信することとを含む、同期信号ブロックの伝送方法。
【請求項２】
前記候補時間領域伝送位置は、１つのデフォルト時間領域伝送位置と、少なくとも１つの追加時間領域伝送位置とを含む、請求項１に記載の同期信号ブロックの伝送方法。
【請求項３】
前記追加時間領域伝送位置は、全ての同期信号ブロックのデフォルト時間領域伝送位置以外の時間領域伝送位置のうちの１つである、請求項２に記載の同期信号ブロックの伝送方法。
【請求項４】
指示情報は、
前記目標時間領域伝送位置が前記第１同期信号ブロックのデフォルト時間領域伝送位置であるか否かを指示する第１指示情報と、
前記第１同期信号ブロックの候補時間領域伝送位置の時間領域リソースを指示する第２指示情報と、
前記目標時間領域伝送位置の時間領域リソースを指示する第３指示情報と、
前記目標時間領域伝送位置と前記第１同期信号ブロックのデフォルト時間領域伝送位置とのオフセット量を指示する第４指示情報と、の少なくとも１つを含む、請求項１に記載の同期信号ブロックの伝送方法。
【請求項５】
５ｍｓハーフフレーム内で、前記目標時間領域伝送位置の先頭の直交周波数分割多重ＯＦＤＭシンボルの番号は、２＋１４＊ｎ＋１４＊５又は８＋１４＊ｎ＋１４＊５であり、ｎ＝０、１、２、３である、請求項１に記載の同期信号ブロックの伝送方法。
【請求項６】
第１同期信号ブロックの少なくとも２つの候補時間領域伝送位置のうちの１つである、前記第１同期信号ブロックの下り信号送信時間内の目標時間領域伝送位置を決定する第１処理モジュールと、
前記目標時間領域伝送位置により、前記第１同期信号ブロックを送信する送信モジュールとを含む、ネットワーク装置。
【請求項７】
端末側に適用される同期信号ブロックの伝送方法であって、
目標時間領域伝送位置を指示する指示情報を搬送している第１同期信号ブロックを受信することと、
前記指示情報に基づいて、前記第１同期信号ブロックの少なくとも２つの候補時間領域伝送位置のうちの１つである、前記第１同期信号ブロックの前記目標時間領域伝送位置を決定することとを含む、同期信号ブロックの伝送方法。
【請求項８】
前記候補時間領域伝送位置は、１つのデフォルト時間領域伝送位置と、少なくとも１つの追加時間領域伝送位置とを含む、請求項７に記載の同期信号ブロックの伝送方法。
【請求項９】
前記追加時間領域伝送位置は、前記第１同期信号ブロックの属するグループ内の他の同期信号ブロックのデフォルト時間領域伝送位置のうちの少なくとも１つであり、前記グループは、インデックス番号が異なる少なくとも２つの同期信号ブロックを含む、請求項８に記載の同期信号ブロックの伝送方法。
【請求項１０】
前記追加時間領域伝送位置は、全ての同期信号ブロックのデフォルト時間領域伝送位置以外の時間領域伝送位置のうちの１つである、請求項８に記載の同期信号ブロックの伝送方法。
【請求項１１】
前記指示情報に基づいて、前記第１同期信号ブロックの前記目標時間領域伝送位置を決定することは、
前記指示情報に基づいて、同期信号ブロックの送信周期内の前記第１同期信号ブロックの前記目標時間領域伝送位置を決定することを含み、前記同期信号ブロックの送信周期はＮ個の５ｍｓであり、Ｎは１より大きい正整数である、請求項７又は８に記載の同期信号ブロックの伝送方法。
【請求項１２】
前記指示情報は、
前記目標時間領域伝送位置が前記第１同期信号ブロックのデフォルト時間領域伝送位置であるか否かを指示する第１指示情報と、
前記第１同期信号ブロックの候補時間領域伝送位置の時間領域リソースを指示する第２指示情報と、
前記目標時間領域伝送位置の時間領域リソースを指示する第３指示情報と、
前記目標時間領域伝送位置と前記第１同期信号ブロックのデフォルト時間領域伝送位置とのオフセット量を指示する第４指示情報と、の少なくとも１つを含む、請求項７に記載の同期信号ブロックの伝送方法。
【請求項１３】
５ｍｓハーフフレーム内で、前記目標時間領域伝送位置の先頭の直交周波数分割多重ＯＦＤＭシンボルの番号は、２＋１４＊ｎ＋１４＊５又は８＋１４＊ｎ＋１４＊５であり、ｎ＝０、１、２、３である、請求項７に記載の同期信号ブロックの伝送方法。
【請求項１４】
目標時間領域伝送位置を指示する指示情報を搬送している第１同期信号ブロックを受信する受信モジュールと、
前記指示情報に基づいて、前記第１同期信号ブロックの少なくとも２つの候補時間領域伝送位置のうちの１つである、前記第１同期信号ブロックの前記目標時間領域伝送位置を決定する第２処理モジュールとを含む、端末。
【請求項１５】
前記候補時間領域伝送位置は、１つのデフォルト時間領域伝送位置と、少なくとも１つの追加時間領域伝送位置とを含む、請求項１４に記載の端末。
【国際調査報告】
2021526759.tif 000014
2021526759.tif 000015
2021526759.tif 000016
2021526759.tif 000017
2021526759.tif 000018
2021526759.tif 000019